(57)【要約】  アースとの間が遮断されている筒状電極を有し、被測定物に取り付けられる第１電極体と、前記アースとの間が遮断されており前記筒状電極の内部に挿入される棒状電極を有し、前記被測定物に取り付けられる第２電極体と、前記筒状電極と前記アースとを接続し、前記筒状電極と前記棒状電極との間の静電容量を測定する第１測定部と、前記棒状電極と前記アースとを接続し、前記筒状電極と前記棒状電極との間の静電容量を測定する第２測定部と、前記筒状電極と前記棒状電極とを接続し、前記筒状電極と前記アースとの間の静電容量を測定する第３測定部と、前記棒状電極の前記筒状電極に挿入されている部分の長さに応じて定まる前記筒状電極と前記棒状電極との間の静電容量の値を、前記第１乃至第３測定部の測定結果に基づいて算出し、前記被測定物における前記棒状電極が挿入される方向の歪量を測定する第４測定部と、を備える。
2014147833.tif 000002
【特許請求の範囲】
【請求項１】
アースとの間が遮断されている筒状電極を有し、被測定物に取り付けられる第１電極体と、
前記アースとの間が遮断されており前記筒状電極の内部に挿入される棒状電極を有し、前記被測定物に取り付けられる第２電極体と、
前記筒状電極と前記アースとを接続し、前記筒状電極と前記棒状電極との間の静電容量を測定する第１測定部と、
前記棒状電極と前記アースとを接続し、前記筒状電極と前記棒状電極との間の静電容量を測定する第２測定部と、
前記筒状電極と前記棒状電極とを接続し、前記筒状電極と前記アースとの間の静電容量を測定する第３測定部と、
前記棒状電極の前記筒状電極に挿入されている部分の長さに応じて定まる前記筒状電極と前記棒状電極との間の静電容量の値を、前記第１乃至第３測定部の測定結果に基づいて算出し、前記被測定物における前記棒状電極が挿入される方向の歪量を測定する第４測定部と、
を備えたことを特徴とする歪測定装置。
【請求項２】
前記第１電極体は、前記棒状電極が前記筒状電極に挿入されるように前記筒状電極を取り囲んだ状態で前記被測定物に取り付けられて前記アースに接続される金属製の第１ケースと、前記第１ケースに対して前記筒状電極が接触しないように前記第１ケースの内部において前記筒状電極を支持する絶縁性の第１支持部材と、を更に有し、
前記第２電極体は、前記棒状電極が前記筒状電極に挿入されるように前記棒状電極を取り囲んだ状態で前記被測定物に取り付けられて前記アースに接続される金属製の第２ケースと、前記第２ケースに対して前記棒状電極が接触しないように前記第２ケースの内部において前記棒状電極を支持する絶縁性の第２支持部材と、を更に有し、
前記筒状電極に接続される第１導電線と、
前記棒状電極に接続される第２導電線と、
前記第１ケースと前記第２ケースの少なくとも一方に接続される第３導電線と、を更に備え、
前記第１測定部は、前記第１導電線と前記第３導電線とを接続することにより前記筒状電極と前記アースとを接続し、前記筒状電極と前記棒状電極との間の静電容量として、前記第１導電線と前記第２導電線との間の静電容量を測定し、
前記第２測定部は、前記第２導電線と前記第３導電線とを接続することにより前記棒状電極と前記アースとを接続し、前記筒状電極と前記棒状電極との間の静電容量として、前記第１導電線と前記第２導電線との間の静電容量を測定し、
前記第３測定部は、前記第１導電線と前記第２導電線とを接続することにより前記筒状電極と前記棒状電極とを接続し、前記筒状電極と前記アースとの間の静電容量として、前記第１導電線と前記第３導電線との間の静電容量を測定する
ことを特徴とする請求項１に記載の歪測定装置。
【請求項３】
前記第１電極体は、前記被測定物と前記第１ケースとの間において前記第１ケースから前記被測定物に向かって突出し、前記被測定物に固定される金属製の第１脚、を更に有し、
前記第２電極体は、前記被測定物と前記第２ケースとの間において前記第２ケースから前記被測定物に向かって突出し、前記被測定物に固定される金属製の第２脚、を更に有する
ことを特徴とする請求項２に記載の歪測定装置。
【請求項４】
前記被測定物は、第１配管と前記第１配管に接続される第２配管と、を含み、
前記第１脚は、前記第１配管に固定され、
前記第２脚は、前記第２配管に固定される
ことを特徴とする請求項３に記載の歪測定装置。
【請求項５】
前記第１乃至第３測定部の測定結果を示す情報が記憶される記憶装置、を更に備え、
前記第４測定部は、前記記憶装置に記憶されている情報に基づいて、前記被測定物における前記棒状電極が挿入される方向の歪量を測定する
ことを特徴とする請求項１に記載の歪測定装置。
【請求項６】
アースとの間が遮断されている筒状電極を有し、被測定物に取り付けられる第１電極体と、前記アースとの間が遮断されており前記筒状電極の内部に挿入される棒状電極を有し、前記被測定物に取り付けられる第２電極体と、を有し、前記筒状電極に挿入される前記棒状電極の長さに応じて定まる静電容量の値に基づいて、前記被測定物における前記棒状電極が挿入される方向の歪量を測定する歪測定装置の前記静電容量を測定する静電容量測定装置であって、
前記筒状電極と前記アースとを接続し、前記筒状電極と前記棒状電極との間の静電容量を測定する第１測定部と、
前記棒状電極と前記アースとを接続し、前記筒状電極と前記棒状電極との間の静電容量を測定する第２測定部と、
前記筒状電極と前記棒状電極とを接続し、前記筒状電極と前記アースとの間の静電容量を測定する第３測定部と、
前記筒状電極に挿入される前記棒状電極の長さに応じて定まる静電容量の値を、前記第１乃至第３測定部の測定結果に基づいて算出する演算部と、
を備えたことを特徴とする静電容量測定装置。
【請求項７】
前記第１電極体は、前記棒状電極が前記筒状電極に挿入されるように前記筒状電極を取り囲んだ状態で前記被測定物に取り付けられて前記アースに接続される金属製の第１ケースと、前記第１ケースに対して前記筒状電極が接触しないように前記第１ケースの内部において前記筒状電極を支持する絶縁性の第１支持部材と、を更に有し、
前記第２電極体は、前記棒状電極が前記筒状電極に挿入されるように前記棒状電極を取り囲んだ状態で前記被測定物に取り付けられて前記アースに接続される金属製の第２ケースと、前記第２ケースに対して前記棒状電極が接触しないように前記第２ケースの内部において前記棒状電極を支持する絶縁性の第２支持部材と、を更に有し、
前記筒状電極に接続される第１導電線と、
前記棒状電極に接続される第２導電線と、
前記第１ケースと前記第２ケースの少なくとも一方に接続される第３導電線と、を更に備え、
前記第１測定部は、前記第１導電線と前記第３導電線とを接続することにより前記筒状電極と前記アースとを接続し、前記筒状電極と前記棒状電極との間の静電容量として、前記第１導電線と前記第２導電線との間の静電容量を測定し、
前記第２測定部は、前記第２導電線と前記第３導電線とを接続することにより前記棒状電極と前記アースとを接続し、前記筒状電極と前記棒状電極との間の静電容量として、前記第１導電線と前記第２導電線との間の静電容量を測定し、
前記第３測定部は、前記第１導電線と前記第２導電線とを接続することにより前記筒状電極と前記棒状電極とを接続し、前記筒状電極と前記アースとの間の静電容量として、前記第１導電線と前記第３導電線との間の静電容量を測定する
ことを特徴とする請求項６に記載の静電容量測定装置。
【請求項８】
前記第１乃至第３測定部の測定結果を示す情報が記憶される記憶装置、を更に備え、
前記演算部は、前記記憶装置に記憶されている情報に基づいて、前記筒状電極に挿入される前記棒状電極の長さに応じて定まる静電容量の値を算出する
ことを特徴とする請求項６に記載の静電容量測定装置。
【請求項９】
被測定物に取り付けられる第１電極体に設けられ、アースとの間が遮断されている筒状電極と、前記被測定物に取り付けられる第２電極体に設けられ、前記アースとの間が遮断されており前記筒状電極の内部に挿入される棒状電極と、前記アースと、のうちの何れか２つを接続し、接続されている２つと残りの１つとの間の静電容量を測定する第１ステップと、
前記筒状電極と、前記棒状電極と、前記アースと、のうちの前記第１ステップで接続されていない２つを接続し、接続されている２つと残りの１つとの間の静電容量を測定する第２ステップと、
前記筒状電極と、前記棒状電極と、前記アースと、のうちの前記第１及び第２ステップで接続されていない２つを接続し、接続されている２つと残りの１つとの間の静電容量を測定する第３ステップと、
前記棒状電極の前記筒状電極に挿入されている部分の長さに応じて定まる前記筒状電極と前記棒状電極との間の静電容量の値を、前記第１乃至第３ステップでの測定結果に基づいて算出し、前記被測定物における前記棒状電極が挿入される方向の歪量を測定する第４ステップと、を含む
ことを特徴とする歪測定方法。
【請求項１０】
アースとの間が遮断されている筒状電極を有し、被測定物に取り付けられる第１電極体と、前記アースとの間が遮断されており前記筒状電極の内部に挿入される棒状電極を有し、前記被測定物に取り付けられる第２電極体と、を有し、前記筒状電極に挿入される前記棒状電極の長さに応じて定まる静電容量の値に基づいて、前記被測定物における前記棒状電極が挿入される方向の歪量を測定する歪測定装置の前記静電容量を測定する静電容量測定方法であって、
前記筒状電極と、前記棒状電極と、前記アースと、のうちの２つを接続し、接続されている２つと残りの１つとの間の静電容量を測定する第１ステップと、
前記筒状電極と、前記棒状電極と、前記アースと、のうちの前記第１ステップで接続されていない２つを接続し、接続されている２つと残りの１つとの間の静電容量を測定する第２ステップと、
前記筒状電極と、前記棒状電極と、前記アースと、のうちの前記第１及び第２ステップで接続されていない２つを接続し、接続されている２つと残りの１つとの間の静電容量を測定する第３ステップと、
前記棒状電極の前記筒状電極に挿入されている部分の長さに応じて定まる前記筒状電極と前記棒状電極との間の静電容量の値を、前記第１乃至第３ステップでの測定結果に基づいて算出する第４ステップと、を含む
ことを特徴とする静電容量測定方法。
【発明の詳細な説明】
【技術分野】
【０００１】
本発明は、歪測定装置、静電容量測定装置、歪測定方法、静電容量測定方法に関する。
【背景技術】
【０００２】
例えば、筒状電極と棒状電極との間の静電容量の値に基づいて被測定物の歪量を測定する歪測定装置が知られている（例えば特許文献１）。
【先行技術文献】
【特許文献】
【０００３】
【特許文献１】特開２０１２−２０２９５３号公報
【発明の概要】
【発明が解決しようとする課題】
【０００４】
例えば、特許文献１の歪測定装置においては、筒状電極とアースとの間の静電容量、棒状電極とアースとの間の静電容量に基づいて、筒状電極と棒状電極との間の静電容量の測定精度が低下することがある。このため、歪測定装置による被測定物の歪量の測定精度が低下する虞がある。
【課題を解決するための手段】
【０００５】
前述した課題を解決する主たる本発明は、アースとの間が遮断されている筒状電極を有し、被測定物に取り付けられる第１電極体と、前記アースとの間が遮断されており前記筒状電極の内部に挿入される棒状電極を有し、前記被測定物に取り付けられる第２電極体と、前記筒状電極と前記アースとを接続し、前記筒状電極と前記棒状電極との間の静電容量を測定する第１測定部と、前記棒状電極と前記アースとを接続し、前記筒状電極と前記棒状電極との間の静電容量を測定する第２測定部と、前記筒状電極と前記棒状電極とを接続し、前記筒状電極と前記アースとの間の静電容量を測定する第３測定部と、前記棒状電極の前記筒状電極に挿入されている部分の長さに応じて定まる前記筒状電極と前記棒状電極との間の静電容量の値を、前記第１乃至第３測定部の測定結果に基づいて算出し、前記被測定物における前記棒状電極が挿入される方向の歪量を測定する第４測定部と、を備えたことを特徴とする歪測定装置である。【０００６】
本発明の他の特徴については、添付図面及び本明細書の記載により明らかとなる。
【発明の効果】
【０００７】
本発明によれば、被測定物における歪量の測定精度を向上させることができる。
【図面の簡単な説明】
【０００８】
【図１】本発明の実施形態における歪測定装置の一部を示す斜視図である。
【図２】本発明の実施形態における歪測定装置の一部を示す断面図である。
【図３】本発明の実施形態における第１電極及び第２電極を示す斜視図である。
【図４】本発明の実施形態における歪測定装置の等価回路を示す回路図である。
【図５】本発明の実施形態における第３測定装置の機能を示すブロック図である
【図６】本発明の実施形態におけるスイッチ装置の端子の接続状態に対する第３測定装置の測定結果を示す図である。
【図７】本発明の実施形態における第３測定装置の動作を示すフローチャートである。
【発明を実施するための形態】
【０００９】
本明細書および添付図面の記載により、少なくとも以下の事項が明らかとなる。
【００１０】
＝＝＝歪測定装置＝＝＝
以下、図１を参照して、本実施形態における歪測定装置について説明する。図１は、本実施形態における歪測定装置の一部を示す斜視図である。尚、図１においては、説明の便宜上、測定ケーブル４Ａ、４Ｂ（図２）は省略されている。
【００１１】
歪測定装置９００は、例えば火力発電所に設けられた、ボイラ、タービン、配管等々の歪量を測定するための装置である。歪測定装置９００は、例えば、配管４００（被測定物）の歪量を測定するための装置である。尚、配管４００は、火力発電所に設けられ、例えば６００℃以上の比較的高温となっている金属製の配管である。配管４００は、配管４００の長手方向（Ｘ軸）において第１配管４０１及び第２配管４０２が溶接されて形成される。配管４００においては、第１配管４０１及び第２配管４０２の溶接部分である測定対象部分４０３が、例えば、クリープ等による経年劣化により歪むことがある。
【００１２】
歪測定装置９００は、第１測定装置１００（第１電極体）、第２測定装置２００（第２電極体）、スイッチ装置５（図４）、第３測定装置６を有する。尚、スイッチ装置５、第３測定装置６が、第１測定部、第２測定部、第３測定部に相当する。第３測定装置６が、第４測定部、演算部に相当する。歪測定装置９００における第１測定装置１００及び第２測定装置２００以外の構成が静電容量測定装置に相当する。尚、本実施形態において、Ｚ軸は、第１測定装置１００及び第２測定装置２００が立設する高さ方向（垂直方向）に沿う軸であり、＋Ｚは、配管４００から第１測定装置１００及び第２測定装置２００に向かう上方向（垂直方向において配管４００から離れる方向）を示し、−Ｚは、第１測定装置１００及び第２測定装置２００から配管４００に向かう下方向（垂直方向において配管４００に近づく方向）を示すものとする。又、Ｘ軸は、第１測定装置１００及び第２測定装置２００が隣接する方向に沿う軸であり、＋Ｘは、第１測定装置１００から第２測定装置２００に向かう方向を示し、−Ｘは、第２測定装置２００から第１測定装置１００に向かう方向を示すものとする。又、Ｙ軸は、Ｘ軸及びＺ軸に対して直交する軸であり、＋Ｙは、第１測定装置１００における一方の側面から他方の側面に向かう方向を示し、−Ｙは、第１測定装置１００における他方の側面から一方の側面に向かう方向を示すものとする。
【００１３】
第１測定装置１００及び第２測定装置２００は、金属製の配管４００における測定対象部分４０３の歪量を測定する際に、配管４００の長手方向（Ｘ軸）において、測定対象部分４０３の両側に設けられる装置である。第１測定装置１００及び第２測定装置２００は、測定対象部分４０３における当該配管４００の長手方向の歪量を測定するためのセンサとして機能する。尚、第１測定装置１００、第２測定装置２００については、後述する。
【００１４】
スイッチ装置５及び第３測定装置６は、第１測定装置１００の第１電極１４（筒状電極）（図４）及び第２測定装置２００の第２電極２４（棒状電極）によって形成されるコンデンサＣ０の静電容量を測定し、当該測定結果に基づいて配管４００の歪量を測定する装置である。尚、スイッチ装置５及び第３測定装置６については、後述する。
【００１５】
＝＝＝第１測定装置、第２測定装置＝＝＝
以下、図２及び図３を参照して、本実施形態における第１測定装置及び第２測定装置について説明する。図２は、本実施形態における歪測定装置の一部を示す断面図である。尚、図２は、図１における第１測定装置１００の略中央を通るＸＺ平面から＋Ｙ方向へ向かって見た状態の、第１測定装置１００及び第２測定装置２００を示している。図３は、本実施形態における第１電極及び第２電極を示す斜視図である。尚、第１電極１４の内部は、見えない状態となっているが、説明の便宜上、点線で示されている。
【００１６】
＝第１測定装置＝
第１測定装置１００は、第１配管４０１に対して例えば溶接されて固定される。第１測定装置１００は、筐体１１（第１ケース）、脚１２（第１脚）、固定部材１３（第１支持部材）、第１電極１４を有する。
【００１７】
筐体１１は、第１電極１４を収容した状態で当該第１電極１４を保持するための例えば金属製の筐体である。筐体１１の外形は、例えば、略矩形柱形状を呈する。筐体１１は、内部に第１電極１４を収容できるように、中空構造を呈する。筐体１１の内径は、筐体１１の内部に第１電極１４を収容できるように、第１電極１４の外径よりも大きくされている。筐体１１は、金属製の脚１２を介して第１配管４０１に溶接される。尚、脚１２は、第１配管４０１と筐体１１との間において筐体１１から第１配管４０１に向かって突出し、第１配管４０１に固定されている。
【００１８】
固定部材１３は、筐体１１の内部に第１電極１４を固定するための例えばセラミックス等の絶縁性の部材である。固定部材１３は、筐体１１の内部において第１電極１４が筐体１１と接触しないように、第１電極１４を支持している。つまり、第１電極１４とアースとの間は遮断されている。
【００１９】
第１電極１４は、第２電極２４と共にコンデンサＣ０（図４）を形成するための金属製の部材である。つまり、第１電極１４は、コンデンサＣ０における２個の電極のうちの一方の電極として機能する。第１電極１４は、配管４００の長手方向（Ｘ軸）に沿って棒状に延びている。第１電極１４の外形は、例えば長尺状の円柱形状を呈する。第１電極１４は、内部に第２電極２４を進退自在に挿入できるように挿入孔１４Ａが設けられており、中空構造を呈する。つまり、第１電極１４は、筒形状を呈している。第１電極１４の内部は、配管４００の長手方向における第１測定装置１００と第２測定装置２００との間の距離Ｇ１に対するコンデンサＣ０の静電容量の値が当該距離Ｇ１の値に応じて変化するように、例えば円柱形状とされている。
【００２０】
＝第２測定装置＝
第２測定装置２００は、第２配管４０２に対して例えば溶接されて固定される。第２測定装置２００は、筐体２１（第２ケース）、脚２２（第２脚）、固定部材２３（第２支持部材）、第２電極２４を有する。
【００２１】
筐体２１は、第２電極２４を収容した状態で当該第２電極２４を保持するための例えば金属製の筐体である。筐体２１の外形は、例えば、略矩形柱形状を呈する。筐体２１は、内部に第２電極２４を収容できるように、中空構造を呈する。筐体２１の内径は、筐体２１の内部に第２電極２４を収容できるように、第２電極２４の外径よりも大きくされている。筐体２１は、金属製の脚２２を介して第２配管４０２に溶接される。尚、脚２２は、第２配管４０２と筐体２１との間において筐体２１から第２配管４０２に向かって突出し、第２配管４０２に固定されている。
【００２２】
固定部材２３は、筐体２１の内部に第２電極２４を固定するための例えばセラミックス等の絶縁性の部材である。固定部材２３は、筐体２１の内部において第２電極２４が筐体２１と接触しないように、第２電極２４を支持する。つまり、第２電極２４とアースとの間は遮断されている。
【００２３】
第２電極２４は、第１電極１４と共にコンデンサＣ０（図４）を形成するための金属製の部材である。つまり、第２電極２４は、コンデンサＣ０における２個の電極のうちの他方の電極として機能する。第２電極２４は、配管４００の長手方向（Ｘ軸）に沿って棒状に延びている。第２電極２４の外形は、例えば円柱形状を呈する。
【００２４】
第２電極２４の端部２４Ａは、第１電極１４の挿入孔１４Ａに挿入される。尚、第２電極２４は、第１電極１４と接触しないように挿入孔１４Ａに挿入されることとする。このとき、第２電極２４における第１電極１４の内部に挿入されている端部２４Ａ（以下、「第２電極２４の挿入部分」とも称する）の外面は、挿入孔１４Ａ内で第１電極１４の内面と対向することとなる。そして、第２電極２４の挿入部分がコンデンサＣ０の他方の電極として機能し、第２電極２４の挿入部分と対向している第１電極１４の一部（以下、「第１電極１４の対向部分」とも称する）がコンデンサＣ０の一方の電極として機能することになる。そして、コンデンサＣ０の静電容量の値は、第２電極２４の挿入部分の面積及び第１電極１４の対向部分の面積に応じて定まることになる。つまり、コンデンサＣ０の静電容量の値は、配管４００の長手方向における第１測定装置１００と第２測定装置２００との間の距離Ｇ１に応じて定まることになる。
【００２５】
＝＝＝コンデンサの静電容量＝＝＝
以下、図２を参照して、本実施形態におけるコンデンサの静電容量について説明する。
【００２６】
第１電極１４及び第２電極２４によって形成されるコンデンサＣ０（図４）の静電容量の値は、配管４００の長手方向（Ｘ軸）における第１測定装置１００と第２測定装置２００との間の距離Ｇ１に応じて定められることになる。つまり、コンデンサＣ０の静電容量の値は、第２電極２４の第１電極１４に挿入される部分の長さに応じて定まることになる。
【００２７】
例えば、距離Ｇ１が長くなるにつれて、第２電極２４の端部２４Ａにおける第１電極１４の内部に挿入されている部分の長さが短くなる。よって、距離Ｇ１が長くなるにつれて、第２電極２４の挿入部分の面積及び第１電極１４の対向部分の面積は、狭くなる。つまり、コンデンサＣ０における一方の電極の面積と他方の電極の面積が狭くなり、コンデンサＣ０の静電容量の値は小さくなる。
【００２８】
一方、例えば、距離Ｇ１が短くなるにつれて、第２電極２４の端部２４Ａにおける第１電極１４の内部に挿入されている部分の長さが長くなる。よって、距離Ｇ１が短くなるにつれて、第２電極２４の挿入部分の面積及び第１電極１４の対向部分の面積は、広くなる。つまり、コンデンサＣ０における一方の電極の面積と他方の電極の面積が広くなり、コンデンサＣ０の静電容量の値は大きくなる。
【００２９】
以上より、例えば、コンデンサＣ０の静電容量の値の変動幅に基づいて、距離Ｇ１の変動幅を求めることが可能となる。つまり、コンデンサＣ０の静電容量の値の変動幅に基づいて、測定対象部分４０３における第２電極２４が第１電極１４に挿入される方向（Ｘ軸）の歪量を求めることが可能となる。
【００３０】
＝＝＝スイッチ装置＝＝＝
以下、図４を参照して、本実施形態におけるスイッチ装置について説明する。図４は、本実施形態における歪測定装置の等価回路を示す回路図である。
【００３１】
尚、コンデンサＣ０は、例えば、第１電極１４と第２電極２４によって形成されるコンデンサを示している。コンデンサＣ１は、例えば、第１電極１４と配管４００（アース）との間の寄生容量、導電線４１Ａ（第１導電線）と配管４００（導電線４２Ａ、アース）との間の静電容量を示している。コンデンサＣ２は、例えば、第２電極２４と配管４００（アース）との間の寄生容量、導電線４１Ｂ（第２導電線）と配管４００（導電線４２Ｂ、アース）との間の静電容量を示している。尚、配管４００は、接地されていることとする。つまり、配管４００は、アースと接続されている。
【００３２】
絶縁抵抗Ｒ０は、例えば、第１電極１４と第２電極２４との間の絶縁抵抗を示している。絶縁抵抗Ｒ１は、例えば、第１電極１４と配管４００との間の絶縁抵抗、導電線４１Ａと配管４００との間の絶縁抵抗を示している。絶縁抵抗Ｒ２は、例えば、第２電極２４と配管４００との間の絶縁抵抗、導電線４１Ｂと配管４００との間の絶縁抵抗を示している。
【００３３】
導電線４１Ｃは、測定ケーブル４Ａ（図２）の導電線４２Ａ（第３導電線）、測定ケーブル４Ｂの導電線４２Ｂ（第３導電線）、筐体１１、２１、脚１２、２２、配管４００を示している。尚、測定ケーブル４Ａ（図２）の導電線４２Ａ、測定ケーブル４Ｂの導電線４２Ｂ、筐体１１、２１、脚１２、２２、配管４００は相互に接続されており、配管４００は、アースに接続されているので、導電線５１Ｃは、アースに対応していることにもなる。
【００３４】
尚、測定ケーブル４Ａ、４Ｂ（図２）は、例えば同軸ケーブルである。導電線４１Ａ、４１Ｂは夫々、測定ケーブル４Ａ、４Ｂの内部導体を示し、導電線４２Ａ、４２Ｂは夫々、測定ケーブル４Ａ、４Ｂの外部導体を示していることとする。尚、導電線４２Ａ、４２Ｂ夫々の一端は、例えば、筐体１１、２１に対して比較的強固に接続されているが、図２においては、説明の便宜上、１点で接続されているように示されている。
【００３５】
スイッチ装置５は、第１測定装置１００及び第２測定装置２００と、第３測定装置６との間において、接続先を切り換える装置である。スイッチ装置５は、第１端子Ｔ５１、第２端子Ｔ５２、第３端子Ｔ５３、第４端子Ｔ７１、第５端子Ｔ７２（以下、「スイッチ装置５の各端子」とも称する）を有する。
【００３６】
第１端子Ｔ５１には、導電線４１Ａの他端が接続される。尚、導電線４１Ａの一端は、上述のように、第１電極１４に接続されている。第２端子Ｔ５２には、導電線４１Ｃが接続される。つまり、第２端子Ｔ５２には、例えば、測定ケーブル４Ａにおける導電線４２Ａの他端が接続される。尚、導電線４２Ａの一端は、上述のように、筐体１１に接続されている。第３端子Ｔ５３には、導電線４１Ｂの他端が接続される。尚、導電線４１Ｂの一端は、上述のように、第２電極２４に接続されている。
【００３７】
尚、例えば、スイッチ装置５においては、第１端子Ｔ５１、第２端子Ｔ５２、第３端子Ｔ５３に対して上述の導電線が接続されるコネクタが設けられており、当該コネクタにより第１端子Ｔ５１、第２端子Ｔ５２、第３端子Ｔ５３に対して導電線が接続されることとしてもよい。
【００３８】
第４端子Ｔ７１、第５端子Ｔ７２は夫々、第３測定装置６の第１端子Ｔ６１、第２端子Ｔ６２に接続される。尚、第３測定装置６については、後述する。
【００３９】
スイッチ装置５は、第３測定装置６からの制御信号Ｓ１に基づいて、第１端子Ｔ５１、第２端子Ｔ５２、第３端子Ｔ５３を夫々、第４端子Ｔ７１又は第５端子Ｔ７２の一方に接続させる。尚、スイッチ装置５の内部には、第３測定装置６からの制御信号Ｓ１に基づいて、第１端子Ｔ５１、第２端子Ｔ５２、第３端子Ｔ５３を夫々、第４端子Ｔ７１又は第５端子Ｔ７２の一方に接続させるためのスイッチ回路（不図示）が設けられていることとする。尚、スイッチ回路については、後述する。
【００４０】
＝＝＝第３測定装置＝＝＝
以下、図５を参照して、本実施形態における第３測定装置について説明する。図５は、本実施形態における第３測定装置の機能を示すブロック図である。
【００４１】
第３測定装置６は、コンデンサＣ０の静電容量の値に基づいて、測定対象部分４０３の歪量を測定する装置である。第３測定装置６は、スイッチ装置５を制御したり、コンデンサＣ０の静電容量を測定したりする。
【００４２】
第３測定装置６は、送信部６１、測定部６２、記憶部６３、演算部６４、表示部６５、制御部６６を有する。
【００４３】
送信部６１は、スイッチ装置５に対して制御信号Ｓ１を送信する。制御信号Ｓ１は、スイッチ装置５のスイッチ回路を制御するための信号である。尚、第３測定装置６は、送信部６１がスイッチ装置５に対して制御信号Ｓ１を送信できるように、例えば通信ケーブル（不図示）を介してスイッチ装置５と接続されているものとする。
【００４４】
測定部６２は、コンデンサＣ０の静電容量等を測定する。尚、測定部６２については、後述する。
【００４５】
記憶部６３は、例えば、第１の領域６３１、第２の領域６３２、第３の領域６３３を有する。
【００４６】
第１の領域６３１には、例えば、測定装置６を制御するための第１プログラム、スイッチ装置５を制御するための第２プログラムが記憶されている。
【００４７】
第２の領域６３２（記憶装置）には、例えば、測定部６２の測定結果を示す第１測定情報、第２測定情報、第３測定情報が記憶される。尚、第１測定情報、第２測定情報、第３測定情報については、後述する。
【００４８】
第３の領域６３３には、測定対象部分４０３の歪量を算出するための情報が記憶される。
【００４９】
演算部６４は、第１測定情報、第２測定情報、第３測定情報に基づいて、測定対象部分４０３の歪量を算出する。つまり、演算部６４は、測定部６２の測定結果に基づいて、測定対象部分４０３の歪量を算出する。
【００５０】
表示部６５は、演算部６４の演算結果等を表示する例えばモニタである。
【００５１】
制御部６６は、第１プログラムに基づいて測定装置６を制御する。又、制御部６６は、第２プログラムに基づいて送信部６１から制御信号Ｓ１を出力する。具体的には、制御部６６は、スイッチ装置５の各端子を第１接続状態（図６）とする制御信号Ｓ１（以下、「第１制御信号」とも称する）を送信部６１から出力したり、スイッチ装置５の各端子を第２接続状態とする制御信号Ｓ１（以下、「第２制御信号」とも称する）を送信部６１から出力したり、スイッチ装置５の各端子を第３接続状態とする制御信号Ｓ１（以下、「第３制御信号」とも称する）を送信部６１から出力したりする。
【００５２】
＝＝＝スイッチ回路＝＝＝
以下、図４及び図６を参照して、本実施形態におけるスイッチ回路について説明する。図６は、本実施形態におけるスイッチ装置の端子の接続状態に対する第３測定装置の測定結果を示す図である。
【００５３】
スイッチ回路は、前述のように、第３測定装置６からの制御信号Ｓ１に基づいて、第１端子Ｔ５１、第２端子Ｔ５２、第３端子Ｔ５３を夫々、第４端子Ｔ７１又は第５端子Ｔ７２のうちの何れか一方に接続させるための回路である。
【００５４】
スイッチ回路は、例えば第１制御信号を受信した場合、スイッチ装置５の各端子を第１接続状態にする。第１接続状態とは、第１端子Ｔ５１、第２端子Ｔ５２、第３端子Ｔ５３が夫々、第４端子Ｔ７１、第４端子Ｔ７１、第５端子Ｔ７２に接続されている状態である。つまり、第１接続状態では、第１端子Ｔ５１と第２端子Ｔ５２とがともに第４端子Ｔ７１に接続されて短絡している。又、第１接続状態では、第３端子Ｔ５３は、第１端子Ｔ５１及び第２端子Ｔ５２から電気的に絶縁されていることになる。従って、第１接続状態では、第１電極１４は、導電線４１Ａ、スイッチ装置５を介してアース（導電線４１Ｃ）に接続されるとともに、第３測定装置６の第１端子Ｔ６１に接続されることになる。又、第１接続状態では、第２電極２４は、導電線４１Ｂ、スイッチ５を介して第３測定装置６の第２端子Ｔ６２に接続されることになる。
【００５５】
スイッチ回路は、例えば第２制御信号を受信した場合、スイッチ装置５の各端子を第２接続状態にする。第２接続状態とは、第１端子Ｔ５１、第２端子Ｔ５２、第３端子Ｔ５３が夫々、第４端子Ｔ７１、第５端子Ｔ７２、第４端子Ｔ７１に接続されている状態である。つまり、第２接続状態では、第１端子Ｔ５１と第３端子Ｔ５３とがともに第４端子Ｔ７１に接続されて短絡している。又、第２接続状態では、第２端子Ｔ５２は、第１端子Ｔ５１及び第３端子Ｔ５３から電気的に絶縁されていることになる。従って、第２接続状態では、第１電極１４は、導電線４１Ａ、スイッチ装置５を介して第２電極２４に接続されるとともに、第３測定装置６の第１端子Ｔ６１に接続されることになる。又、第２接続状態では、第３測定装置６の第２端子Ｔ６２は、スイッチ５を介してアース（導電線４１Ｃ）に接続されることになる。
【００５６】
スイッチ回路は、例えば第３制御信号を受信した場合、スイッチ装置５の各端子を第３接続状態にする。第３接続状態とは、第１端子Ｔ５１、第２端子Ｔ５２、第３端子Ｔ５３が夫々、第４端子Ｔ７１、第５端子Ｔ７２、第５端子Ｔ７２に接続されている状態である。つまり、第３接続状態では、第２端子Ｔ５２と第３端子Ｔ５３とがともに第５端子Ｔ７２に接続されて短絡している。又、第３接続状態では、第１端子Ｔ５１は、第２端子Ｔ５２及び第３端子Ｔ５３から電気的に絶縁されていることになる。従って、第３接続状態では、第２電極２４は、導電線４１Ｂ、スイッチ装置５を介してアース（導電線４１Ｃ）に接続されるとともに、第３測定装置６の第２端子Ｔ６２に接続されることになる。又、第３接続状態では、第１電極２４は、導電線４１Ａ、スイッチ５を介して第３測定装置６の第１端子Ｔ６１に接続されることになる。
【００５７】
＝＝＝測定部＝＝＝
以下、図４を参照して、本実施形態における測定部について説明する。
【００５８】
測定部６２は、コンデンサＣ０の静電容量等を測定する。尚、例えば、測定部６２はＬＣＲメータ等によって実現される機能であることとしてもよい。測定部６２は、例えば第３測定装置６の第１端子Ｔ６１及び第２端子Ｔ６２の間に接続されているコンデンサの静電容量、及び、第１端子Ｔ６１及び第２端子Ｔ６２の間に接続されている電気抵抗の抵抗値を測定し、測定結果を示す情報を第２の領域６３２に記憶させる。
【００５９】
ここで、第１端子Ｔ６１、第２端子Ｔ６２は、第３測定装置６に設けられている端子である。第１端子Ｔ６１、第２端子Ｔ６２は夫々、スイッチ装置５の第４端子Ｔ７１、第５端子Ｔ７２に接続されている。
【００６０】
第１端子６１は、例えば、交流の電圧を印加するための端子である。第１端子６１は、例えば、第１端子Ｔ６１及び第２端子Ｔ６２の間に設けられているコンデンサ及び電気抵抗に基づいて導電線４１Ａを流れる電流を印加（出力）するための端子としても機能する。
【００６１】
第２端子６２は、例えば、印加された電圧により、第１端子Ｔ６１及び第２端子Ｔ６２の間に設けられているコンデンサ及び電気抵抗を通過した電流を検出するための端子である。尚、第２端子６２が、例えば、交流の電圧を印加するための端子であることとして、第１端子６１が、例えば、印加された電圧により、第１端子Ｔ６１及び第２端子Ｔ６２の間に設けられているコンデンサ及び電気抵抗を通過した電流を検出するための端子であることとしてもよい。
【００６２】
測定部６２は、例えば、第１端子Ｔ６１から出力された電圧と第２端子Ｔ６２で検出された電流とに基づいて、第１端子Ｔ６１及び第２端子Ｔ６２の間に設けられているコンデンサの静電容量及び電気抵抗の抵抗値を測定する。尚、測定部６２は、例えば、第２端子Ｔ６２から出力された電圧と第１端子Ｔ６１で検出された電流とに基づいて、第１端子Ｔ６１及び第２端子Ｔ６２の間に設けられているコンデンサ静電容量及び電気抵抗の抵抗値を測定することとしてもよい。
【００６３】
尚、測定部６２によって静電容量が測定されるコンデンサ及び抵抗値が測定される電気抵抗は、スイッチ装置５の各端子の接続状態に応じて選択されることになる。
【００６４】
＝＝＝測定部の測定結果＝＝＝
以下、図４及び図６を参照して、本実施形態における測定部の測定結果について説明する。
【００６５】
歪測定装置９００においては、スイッチ装置５の各端子の接続状態に応じて、所定のコンデンサの静電容量及び所定の電気抵抗の抵抗値が選択的に測定されることになる。
【００６６】
例えば、スイッチ装置５の各端子が第１接続状態となっている場合、第１端子Ｔ６１と第２端子Ｔ６２との間には、コンデンサＣ０、Ｃ２が互いに並列に接続されている状態となる。この場合、第１端子Ｔ６１と第２端子Ｔ６２との間には、更に、絶縁抵抗Ｒ０、Ｒ１が互いに並列に接続されている状態となる。つまり、スイッチ装置５の各端子が第１接続状態となっている場合、測定部６２は、コンデンサＣ０、Ｃ２が互いに並列接続されたときの合成容量Ｃ１０と、絶縁抵抗Ｒ０、Ｒ１が互いに並列接続されたときの合成抵抗Ｒ１０とを測定することになる。そして、測定部６２は、静電容量の値Ｃ１０及び抵抗値Ｒ１０を示す情報を、第１測定情報として第２の領域６３２に記憶させる。
【００６７】
尚、合成容量Ｃ１０、Ｃ２０、Ｃ３０の静電容量の値を夫々、静電容量の値Ｃ１０、Ｃ２０、Ｃ３０とも称することとする。又、合成抵抗Ｒ１０、Ｒ２０、Ｒ３０の抵抗値を夫々、抵抗値Ｒ１０、Ｒ２０、Ｒ３０とも称することとする。又、コンデンサＣ０、Ｃ１、Ｃ２の静電容量の値を夫々、静電容量の値Ｃ０、Ｃ１、Ｃ２とも称することとする。又、絶縁抵抗Ｒ０、Ｒ１、Ｒ２の抵抗値を夫々、抵抗値Ｒ０、Ｒ１、Ｒ２とも称することとする。
【００６８】
例えば、スイッチ装置５の各端子が第２接続状態となっている場合、第１端子Ｔ６１と第２端子Ｔ６２との間には、コンデンサＣ１、Ｃ２が互いに並列に接続されている状態となる。この場合、第１端子Ｔ６１と第２端子Ｔ６２との間には、更に、絶縁抵抗Ｒ１、Ｒ１が互いに並列に接続されている状態となる。つまり、スイッチ装置５の各端子が第２接続状態となっている場合、測定部６２は、コンデンサＣ１、Ｃ２が互いに並列接続されたときの合成容量Ｃ２０と、絶縁抵抗Ｒ１、Ｒ２が互いに並列接続されたときの合成抵抗Ｒ２０とを測定することになる。そして、測定部６２は、静電容量の値Ｃ２０及び抵抗値Ｒ２０を示す情報を、第２測定情報として第２の領域６３２に記憶させる。
【００６９】
例えば、スイッチ装置５の各端子が第３接続状態となっている場合、第１端子Ｔ６１と第２端子Ｔ６２との間には、コンデンサＣ１、Ｃ０が互いに並列に接続されている状態となる。この場合、第１端子Ｔ６１と第２端子Ｔ６２との間には、更に、絶縁抵抗Ｒ１、Ｒ０が互いに並列に接続されている状態となる。つまり、スイッチ装置５の各端子が第２接続状態となっている場合、測定部６２は、コンデンサＣ１、Ｃ０が互いに並列接続されたときの合成容量Ｃ３０と、絶縁抵抗Ｒ１、Ｒ０が互いに並列接続されたときの合成抵抗Ｒ２０３を測定することになる。そして、測定部６２は、静電容量の値Ｃ３０及び抵抗値Ｒ３０を示す情報を、第３測定情報として第２の領域６３２に記憶させる。
【００７０】
＝＝＝演算部＝＝＝
以下、図５及び図６を参照して、本実施形態における演算部について説明する。
【００７１】
演算部６４は、第２の領域６３２に記憶されている第１測定情報、第２測定情報、第３測定情報に基づいて、測定対象部分４０３の歪量を算出する。
【００７２】
＝静電容量の値及び抵抗値＝
演算部６４は、第１測定情報、第２測定情報、第３測定情報に基づいて、静電容量の値Ｃ０、Ｃ１、Ｃ２を算出する。尚、この算出は比較的単純で簡易な演算に基づいて行われることになる。又、演算部６４は、第１測定情報、第２測定情報、第３測定情報に基づいて、抵抗値Ｒ０、Ｒ１、Ｒ２を算出する。尚、この算出は比較的単純な演算に基づいて行われることになる。
【００７３】
＝歪量＝
演算部６４は、静電容量の値Ｃ０と第３の領域６３３に記憶されている情報等に基づいて、コンデンサＣ０の静電容量の値を算出し、測定対象部分４０３の歪量を算出する。演算部６４は、例えば、第１時刻におけるコンデンサＣ０の静電容量の値と、当該第１時刻よりも後の第２時刻におけるコンデンサＣ０の静電容量の値とに基づいて、第１時刻から第２時刻までの間の所定時間（所定期間）における測定対象部分４０３の歪量を算出する。演算部６４は、例えば、第１時刻におけるコンデンサＣ０の静電容量の値と、第２時刻におけるコンデンサＣ０の静電容量の値との差分に基づいて、測定対象部分４０３の歪量を算出する。尚、例えば、第３の領域６３３には、コンデンサＣ０の静電容量の値の変動幅と、測定対象部分４０３の歪量とが対応付けられた情報が予め記憶されていることとする。
【００７４】
尚、例えば、第３の領域６３３には、コンデンサＣ０の静電容量の値と測定対象部分４０３の歪量とが対応付けられている情報が記憶されていることとしてもよい。この場合、演算部６４は、第３の領域６３３に記憶されている情報に基づいて、静電容量の値Ｃ０に対応する測定対象部分４０３の歪量を出力することとする。
【００７５】
＝＝＝第３測定装置の動作＝＝＝
以下、図７を参照して、本実施形態における第３測定装置の動作について説明する。図７は、本実施形態における第３測定装置の動作を示すフローチャートである。
【００７６】
例えば、第１の領域６３１に記憶されているプログラムの起動が開始されて、制御部６６が第３測定装置６の動作の制御を開始したところから説明する。
【００７７】
第３測定装置６は、第１制御信号を出力する。スイッチ装置５の各端子は、第１接続状態となる。第３測定装置６は、第１端子Ｔ６１と第２端子Ｔ６２との間に接続されているコンデンサの合成容量Ｃ１０を測定する（ステップＳｔ１）。第３測定装置６は、第２の領域６３２に対して合成容量Ｃ１０の測定結果を示す第１測定情報を記憶する（ステップＳｔ２）。
【００７８】
第３測定装置６は、第２制御信号を出力する。スイッチ装置５の各端子は、第２接続状態となる。第３測定装置６は、第１端子Ｔ６１と第２端子Ｔ６２との間に接続されているコンデンサの合成容量Ｃ２０を測定する（ステップＳｔ３）。第３測定装置６は、第２の領域６３２に対して合成容量Ｃ２０の測定結果を示す第２測定情報を記憶する（ステップＳｔ４）。
【００７９】
第３測定装置６は、第３制御信号を出力する。スイッチ装置５の各端子は、第３接続状態となる。第３測定装置６は、第１端子Ｔ６１と第２端子Ｔ６２との間に接続されているコンデンサの合成容量Ｃ３０を測定する（ステップＳｔ５）。第３測定装置６は、第２の領域６３２に対して合成容量Ｃ３０の測定結果を示す第３測定情報を記憶する（ステップＳｔ６）。
【００８０】
第３測定装置６は、第１測定情報、第２測定情報、第３測定情報に基づいて、静電容量の値Ｃ０、Ｃ１、Ｃ２を算出する（ステップＳｔ７）。
【００８１】
第３測定装置７は、静電容量の値Ｃ０と第３の領域６３３に記憶されている情報等に基づいて、測定対象部分４０３の歪量を算出する（ステップＳｔ８）。
【００８２】
尚、例えば、第３測定装置６は、上述のステップＳｔ１乃至Ｓｔ７を、第１時刻及び第２時刻の双方において行い、第１時刻における静電容量の値Ｃ０、Ｃ１、Ｃ２、及び、第２時刻における静電容量の値Ｃ０、Ｃ１、Ｃ２の双方を算出することとしてもよい。そして、第３測定装置６は、第１時刻における静電容量の値Ｃ０と、第２時刻における静電容量の値Ｃ０との差分に基づいて、第１時刻から第２時刻までの間の所定時間（所定期間）における測定対象部分４０３の歪量を算出することとしてもよい。
【００８３】
第３測定装置７は、ステップＳｔ８での算出結果を、例えば表示部６５に表示する（ステップＳｔ９）。
【００８４】
前述したように、歪測定装置９００は、第１測定装置１００、第２測定装置２００、スイッチ装置５、第３測定装置６を有する。第１測定装置１００は、アースとの間が遮断されている第１電極１４を有し、配管４００に取り付けられる。第２測定装置２００は、アースとの間が遮断されており第１電極１４の内部に挿入される第２電極２４を有し、配管４００に取り付けられる。スイッチ装置５が第１電極１４とアースとを接続したとき、第３測定装置６は、第１電極１４（アース）と第２電極２４との間の合成容量Ｃ１０を測定する。スイッチ装置５が第２電極２４とアースとを接続したとき、第３測定装置６は、第２電極２４（アース）と第１電極１４との間の合成容量Ｃ３０を測定する。スイッチ装置５が第１電極１４と第２電極２４とを接続したとき、第３測定装置６は、第１電極１４（第２電極２４）とアースとの間の合成容量Ｃ２０を測定する。第３測定装置６は、合成容量Ｃ１０、Ｃ２０、Ｃ３０の静電容量の値に基づいて、コンデンサＣ０の静電容量の値Ｃ０を算出し、配管４００における第２電極２４が挿入される方向（Ｘ軸）の歪量を測定する。尚、コンデンサＣ０の静電容量の値Ｃ０は、第２電極２４の第１電極１４に挿入されている部分の長さ応じて定まる。これらの構成により、コンデンサＣ１の静電容量及びコンデンサＣ２の静電容量に基づく、コンデンサＣ０の静電容量の測定誤差を低減することができる。つまり、歪測定装置９００においては、コンデンサＣ０の静電容量の測定精度を向上させることにより、第２電極２４が挿入される方向（Ｘ軸）における配管４００の歪量の測定精度を向上させることができる。
【００８５】
又、第１測定装置１００は、筐体１１、固定部材１３を有している。筐体１１は、第２電極２４が第１電極１４に挿入されるように第１電極１４を取り囲んだ状態で配管４００に取り付けられてアースに接続される金属製の筐体である。固定部材１３は、筐体１１の内部において第１電極１４が筐体１１と接触しないように、第１電極１４を筐体１１の内部で支持する絶縁性の部材である。又、第２測定装置２００は、筐体２１、固定部材２３を有している。筐体２１は、第２電極２４が第１電極１４に挿入されるように第２電極２４を取り囲んだ状態で配管４００に取り付けられてアースに接続される金属製の筐体である。固定部材２３は、筐体２１の内部において第２電極２４が筐体２１と接触しないように、第２電極２４を筐体２１の内部で支持する絶縁性の部材である。歪測定装置９００は、導電線４１Ａ、４１Ｂ、４２Ａ、４２Ｂを有する。導電線４１Ａは、第１電極１４に接続される。導電線４１Ｂは、第２電極２４に接続される。導電線４２Ａは、筐体１１に接続される。導電線４２Ｂは、筐体２１に接続される。スイッチ装置５は、導電線４１Ａと導電線４２Ａ、４２Ｂを接続することにより第１電極１４とアースとを接続する。このとき、第３測定装置６は、導電線４１Ａと導電線４２Ａ、４２Ｂとの間の合成容量Ｃ１０を測定する。スイッチ装置５は、導電線４１Ｂと導電線４２Ａ、４２Ｂを接続することにより第２電極２４とアースとを接続する。このとき、第３測定装置６は、導電線４１Ｂと導電線４２Ａ、４２Ｂとの間の合成容量Ｃ３０を測定する。スイッチ装置５は、導電線４１Ａと導電線４１Ｂとを接続することにより第１電極１４と第２電極２４とを接続する。このとき、第３測定装置６は、導電線４１Ａ、４１Ｂと導電線４２Ａ、４２Ｂとの間の合成容量Ｃ２０を測定する。よって、歪測定装置９００においては、導電線４１Ａ、４１Ｂ、４２Ａ、４２Ｂを用いて配管４００の歪量の測定が可能となる。つまり、例えが６００℃以上の比較的高温となる配管４００から離れた位置で配管４００の歪量を測定するこが可能な、使い勝手の良い歪測定装置９００を提供することができる。又、導電線４１Ａ、４２Ａの間の静電容量及び導電線４１Ｂ、４２Ｂの間の静電容量に基づく、コンデンサＣ０の静電容量の測定誤差を低減することができる。つまり、歪測定装置９００においては、コンデンサＣ０の静電容量の測定精度を向上させることにより、第２電極２４が挿入される方向における配管４００の歪量の測定精度を向上させることができる。
【００８６】
又、第１測定装置１００は、配管４００と筐体１１との間において筐体１１から配管４００に向かって突出し、配管４００に固定され金属製の脚１２を更に有する。又、第２測定装置２００は、配管４００と筐体２１との間において筐体２１から配管４００に向かって突出し、配管４００に固定され金属製の脚２２を更に有する。これらの構成により、第１測定装置１００及び第２測定装置２００は、確実に配管４００に固定されることになる。そして、筐体１１、２１は比較的近い位置で互いに接続された状態でアースに接続される。よって、コンデンサＣ０の静電容量の測定精度を更に向上させて、第２電極２４が挿入される方向における配管４００の歪量の測定精度を向上させることができる。
【００８７】
又、配管４００は、第１配管４０１と第１配管４０１に接続される第２配管４０２を含んでいる。脚１２、２２は夫々、第１配管４０１、第２配管４０２に固定される。よって、歪測定装置９００においては、例えば溶接部分等の測定対象部分４０３の歪みに応じた、配管４００の歪量を測定することが可能となる。
【００８８】
又、第２の領域６３２には、測定部６２の測定結果を示す第１測定情報、第２測定情報、第３測定情報が記憶される演算部６４は、第１測定情報、第２測定情報、第３測定情報に基づいて、測定対象部分４０３の歪量を算出する。これらの構成により、歪測定装置９００においては、スイッチ装置５の各端子が第１乃至第３接続状態となる毎の第３測定装置６の測定結果を確実に反映させて、コンデンサＣ０の静電容量の測定精度を向上させることができる。従って、第２電極２４が挿入される方向における配管４００の歪量の測定精度を向上させることができる。
【００８９】
又、スイッチ装置５及び第３測定装置６は、歪測定装置９００におけるコンデンサＣ０の静電容量を測定する。尚、歪測定装置９００は、第１測定装置１００、第２測定装置２００を有する。第１測定装置１００は、アースとの間が遮断されている第１電極１４を有し、配管４００に取り付けられる。第２測定装置２００は、アースとの間が遮断されており第１電極１４の内部に挿入される第２電極２４を有し、配管４００に取り付けられる。スイッチ装置５は、第１電極１４とアースとを接続する。このとき、第３測定装置６は、第１電極１４（アース）と第２電極２４との間の合成容量Ｃ１０を測定する。又、スイッチ装置５は、第２電極２４とアースとを接続する。このとき、第３測定装置６は、第２電極２４（アース）と第１電極１４との間の合成容量Ｃ３０を測定する。又、スイッチ装置５は、第１電極１４と第２電極２４とを接続する。このとき、第３測定装置６は、第１電極１４（第２電極２４）とアースとの間の合成容量Ｃ２０を測定する。第３測定装置６は、第２電極２４の第１電極１４に挿入されている部分の長さ応じて定まるコンデンサＣ０の静電容量を、上述の合成容量Ｃ１０、Ｃ２０、Ｃ３０に基づいて算出する。これらの構成により、コンデンサＣ１の静電容量及びコンデンサＣ２の静電容量に基づく、コンデンサＣ０の静電容量の測定誤差を低減することができる。つまり、スイッチ装置５及び第３測定装置６においては、コンデンサＣ０の静電容量の測定精度を向上させることができる。
【００９０】
又、第１測定装置１００は、筐体１１、固定部材１３を有している。筐体１１は、第２電極２４が第１電極１４に挿入されるように第１電極１４を取り囲んだ状態で配管４００に取り付けられてアースに接続される金属製の筐体である。固定部材１３は、筐体１１の内部において第１電極１４が筐体１１と接触しないように、第１電極１４を筐体１１の内部で支持する絶縁性の部材である。又、第２測定装置２００は、筐体２１、固定部材２３を有している。筐体２１は、第２電極２４が第１電極１４に挿入されるように第２電極２４を取り囲んだ状態で配管４００に取り付けられてアースに接続される金属製の筐体である。固定部材２３は、筐体２１の内部において第２電極２４が筐体２１と接触しないように、第２電極２４を筐体２１の内部で支持する絶縁性の部材である。歪測定装置９００は、導電線４１Ａ、４１Ｂ、４２Ａ、４２Ｂを有する。導電線４１Ａは、第１電極１４に接続される。導電線４１Ｂは、第２電極２４に接続される。導電線４２Ａは、筐体１１に接続される。導電線４２Ｂは、筐体２１に接続される。スイッチ装置５は、導電線４１Ａと導電線４２Ａ、４２Ｂを接続することにより第１電極１４とアースとを接続する。このとき、第３測定装置６は、導電線４１Ａと導電線４２Ａ、４２Ｂとの間の合成容量Ｃ１０を測定する。スイッチ装置５は、導電線４１Ｂと導電線４２Ａ、４２Ｂを接続することにより第２電極２４とアースとを接続する。このとき、第３測定装置６は、導電線４１Ｂと導電線４２Ａ、４２Ｂとの間の合成容量Ｃ３０を測定する。スイッチ装置５は、導電線４１Ａと導電線４１Ｂとを接続することにより第１電極１４と第２電極２４とを接続する。このとき、第３測定装置６は、導電線４１Ａ、４１Ｂと導電線４２Ａ、４２Ｂとの間の合成容量Ｃ２０を測定する。よって、スイッチ装置５及び第３測定装置６においては、導電線４１Ａ、４１Ｂ、４２Ａ、４２Ｂを用いてコンデンサＣ０の静電容量を測定することが可能となる。つまり、例えが６００℃以上の比較的高温となる配管４００から離れた位置でコンデンサＣ０の静電容量を測定するこが可能な、使い勝手の良いスイッチ装置５及び第３測定装置６を提供することができる。又、導電線４１Ａ、４２Ａの間の静電容量及び導電線４１Ｂ、４２Ｂの間の静電容量に基づく、コンデンサＣ０の静電容量の測定誤差を低減することができる。つまり、スイッチ装置５及び第３測定装置６においては、コンデンサＣ０の静電容量の測定精度を向上させることができる。
【００９１】
又、第２の領域６３２には、測定部６２の測定結果を示す第１測定情報、第２測定情報、第３測定情報が記憶される演算部６４は、第１測定情報、第２測定情報、第３測定情報に基づいて、コンデンサＣ０の静電容量を算出する。これらの構成により、スイッチ装置５及び第３測定装置６においては、スイッチ装置５の各端子が第１乃至第３接続状態となる毎の第３測定装置６の測定結果を確実に反映させて、コンデンサＣ０の静電容量の測定精度を向上させることができる。
【００９２】
尚、上記本実施形態は、本発明の理解を容易にするためのものであり、本発明を限定して解釈するためのものではない。本発明は、その趣旨を逸脱することなく、変更、改良され得るとともに、本発明にはその等価物も含まれる。
【００９３】
本実施形態においては、スイッチ装置５及び第３測定装置６が別体とされていることについて説明したが、これに限られるものではない。例えば、第３測定装置６がスイッチ装置５の機能も有していることとしてもよい。
【００９４】
又、本実施形態においては、第１測定装置１００及び第２測定装置２００と、第３測定装置６との間にスイッチ装置５が設けられることについて説明したが、これに限定されるものではない。例えば、第３測定装置６の第１端子Ｔ６１に接続される第１プローブと、第２端子Ｔ６２に接続される第２プローブとを設けて、第３測定装置６が当該第１及び第２プローブを介して第１測定装置１００及び第２測定装置の所定位置に接続されることとしてもよい。尚、例えば、これらの第１及び第２プローブは、配管４００の歪量を測定する測定者の手作業によって、第１測定装置１００及び第２測定装置２００に接続されることとする。尚、上述の作業者は、第１及び第２プローブを用いて測定を行う場合、スイッチ装置５が設けられている場合と同様に、第１測定装置１００及び第２測定装置２００の所定位置を、例えば導電線を用いて接続することとする。
【符号の説明】
【００９５】
５  スイッチ装置
６  第３測定装置
１１、２１  筐体
１２、２２  脚
１３、２３  固定部材
１４  第１電極
２４  第２電極
４１Ａ、４１Ｂ、４２Ａ、４２Ｂ  導電線
６３  記憶部
１００  第１測定装置
２００  第２測定装置
４００  配管
４０１  第１配管
４０２  第２配管
９００  歪測定装置
【図１】
2014147833.tif 000003
【図２】
2014147833.tif 000004
【図３】
2014147833.tif 000005
【図４】
2014147833.tif 000006
【図５】
2014147833.tif 000007
【図６】
2014147833.tif 000008
【図７】
2014147833.tif 000009
【国際調査報告】
2014147833.tif 000010
2014147833.tif 000011
2014147833.tif 000012
2014147833.tif 000013